(57)【要約】【課題】電子マネー端末を搭載した自動販売機において、電子マネーの不正チャージを抑止する。【解決手段】硬貨収納部及び前記紙幣収納部の両方若しくはいずれかが、前記所定位置に配置されていない状態であることを検出してから再び所定位置に復帰し、次にチャージ機能の実行がなされるまでの繰り返し回数を計数する手段を備え、前記回数の計数結果が予め設定した回数よりも多かった場合に、前記電子マネー端末のチャージ機能のみを停止する【選択図】図５
2010198553.tif 000002
【特許請求の範囲】
【請求項１】
電子マネー端末と、投入された貨幣の識別や選別や収納の処理を行う、硬貨処理装置及び紙幣処理装置を備えた自動販売機であって、前記硬貨処理装置の硬貨収納部及び前記紙幣処理装置の紙幣収納部が、装置本体での所定位置にはない状態を検出する手段と、前記硬貨収納部及び前記紙幣収納部の両方若しくはいずれかが、前記所定位置に配置されていない状態であることを検出してから再び所定位置に復帰し、次にチャージ機能の実行がなされるまでの繰り返し回数を計数する手段とを更に備え、前記回数の計数結果が予め設定した回数よりも多かった場合に、前記電子マネー端末のチャージ機能のみを停止することを特徴とする自動販売機。
【発明の詳細な説明】
【技術分野】
【０００１】
本発明は、貨幣処理装置並びに電子マネー端末を搭載した自動販売機に関し、特に電子マネーの不正チャージを抑止する技術に関する。
【背景技術】
【０００２】
自動販売機に搭載された硬貨処理装置及び紙幣処理装置には、各々硬貨収納部及び紙幣収納部が設けられていて、これらは硬貨及び紙幣の回収を容易にするために装置本体から脱着可能になっている。これらは通常、装置本体の所定位置にセットされていて、セットされていることをセンサによって監視している。従って、硬貨収納部及び紙幣収納部のいずれか若しくは両方が貨幣回収時などにおいて、前記所定位置にない状態の時には、前記監視センサによって前記所定位置には無いと判断し、商品の販売を停止する。
【０００３】
このような自動販売機において、電子マネーのチャージ機能を有する電子マネー端末が搭載されているものがある。この場合、搭載されている硬貨処理装置及び紙幣処理装置から金銭を抜き出してチャージするという、電子マネーの不正チャージがなされないようにすることは周知である。例えば、特許文献１に記載されたものは、自動販売機の扉が解放されていることを扉センサが検知した場合には、電子マネーコントローラが書き込み手段のチャージ機能を一時停止させ、開放されていた扉が閉鎖されたことを扉センサが検知した場合には、電子マネーコントローラが書き込み手段のチャージ機能を復帰させる自動販売機であり、さらには、書き込み手段によるチャージ機能の実行と扉の開放及び閉鎖との繰り返し回数を計数する機能を更に備え、繰り返し回数が所定の数に達した場合に、電子マネーコントローラが書き込み手段のチャージ機能を停止させる。
【先行技術文献】
【特許文献】
【０００４】
【特許文献１】特開２００７−３０４９４９号公報
【発明の概要】
【発明が解決しようとする課題】
【０００５】
上記従来の構成のうち扉センサは、多くの場合、自動販売機の構造上、メンテナンスを容易にするために、扉を開放したら直ぐに発見できる位置に設けられているので、扉を開放した状態においても、扉センサのみを扉が閉鎖した状態にすることは容易である。従って、上記従来の技術においては、自動販売機の扉を開放し、扉センサのみを閉鎖時と同じ状態にしておけば、自動販売機内の硬貨処理装置または紙幣処理装置から硬貨または紙幣を取り出し、取り出した硬貨または紙幣を使用して電子マネー端末に金額を不正にチャージすることが可能であり、しかも無限の金額をチャージすることが可能である。
【０００６】
本発明は、自動販売機の電子マネー端末の上記のような不正使用を抑制することを目的とする。
【課題を解決するための手段】
【０００７】
上記目的を達成するために、本発明は、電子マネー端末と、投入された貨幣の識別や選別や収納の処理を行う、硬貨処理装置及び紙幣処理装置を備えた自動販売機であって、前記硬貨処理装置の硬貨収納部及び前記紙幣処理装置の紙幣収納部が、装置本体での所定位置にはない状態を検出する手段と、前記硬貨収納部及び前記紙幣収納部の両方若しくはいずれかが、前記所定位置に配置されていない状態であることを検出してから再び所定位置に復帰し、次にチャージ機能の実行がなされるまでの繰り返し回数を計数する手段とを更に備え、前記回数の計数結果が、予め設定した回数よりも多かった場合に、前記電子マネー端末のチャージ機能のみを停止する。
【発明の効果】
【０００８】
本発明によれば、貨幣処理装置の貨幣回収が決められた作業以外に行われたことが予想出来、不正チャージ行為が実行されても、無限には行えず、抑止することが出来る。
【図面の簡単な説明】
【０００９】
【図１】図１は、本発明の実施例に係わる自動販売機の概略構成を示すブロック図である。
【図２】図２は、本発明の実施例に係わる硬貨処理装置の概略図である。
【図３】図３は、本発明の実施例に係わる紙幣処理装置の概略図である。
【図４】図４は、本発明の実施例に係わる電子マネー端末のかざし部の正面概略図である。
【図５】図５は、図１に示した自動販売機におけるチャージ機能停止までのフローチャートである。
【発明を実施するための形態】
【００１０】
以下、本発明に係わる自動販売機の実施例を添付図面を参照して詳細に説明する。
【実施例】
【００１１】
図１において、自動販売機１００には、投入された硬貨を識別し選別し収納する硬貨処理装置２００と、挿入された紙幣を搬送し識別し収納する紙幣処理装置３００と、電子マネーが格納された非接触型ＩＣカードなどの携帯端末と交信する電子マネー端末４００と、これらの装置を制御する主制御部５００が設けられている。
【００１２】
これらの内、硬貨処理装置２００について、その概略を図２に示している。硬貨処理装置２００には、投入されて識別処理と選別処理がなされた真硬貨を整列積みで収納する硬貨収納部２１０が設けられていて、この硬貨収納部２１０は装置本体から脱着可能なカセット式となっている。この脱着を検出する為に、硬貨処理装置２００本体側にはスイッチ２２０が設けられていて、硬貨収納部側の突起２３０が、このスイッチ２２０を押すことで、硬貨収納部２１０の装置本体からの脱着を検出できるようになっている。
【００１３】
また、紙幣処理装置３００について、その概略を図３に示している。紙幣処理装置３００には、識別処理がなされ、真券と判定された紙幣を整列積みで収納する紙幣収納部３１０が設けられている。この紙幣収納部３１０は、装置本体に対して回動し、紙幣回収時に開口部から紙幣を抜き取ることが出来る。そして、紙幣収納部３１０全体を紙幣処理装置３００本体から脱着可能になっている。この装置本体に対して回動した時の検出、若しくは装置本体からの脱着を検出する為に、紙幣処理装置３００本体側にはスイッチ３２０が設けられていて、硬貨収納部側の突起３３０が、このスイッチ３２０を押すことで、紙幣収納部３１０の装置本体からの脱着を検出できるようになっている。
【００１４】
子マネー端末４００には、図４で示すように、自動販売機１００の正面に設けた非接触型ＩＣカードなどの携帯端末をかざすためのかざし部４１０及びチャージ開始ボタン４４０及び携帯端末に記憶されている電子マネーの金額などを表示する表示部４５０と、図１で示すように、携帯端末から得られた情報を処理するための自動販売機１００の内部に設けたコントローラ４２０やカードリーダライター４３０などで構成されている。この処理とは、携帯端末から得られた金額情報やＩＤ情報の照合や、貨幣処理装置からの金額情報を携帯端末に記録するチャージ処理などをいう。
【００１５】
自己の非接触型ＩＣカードなどの携帯端末に電子マネーのチャージを希望する顧客は、硬貨投入口から硬貨を、又は紙幣挿入口から紙幣を自動販売機１００に投入又は挿入し、電子マネー端末４００に設けられたチャージ実行ボタン４４０を押す。自動販売機１００に投入された硬貨は、硬貨処理装置２００に送られ、硬貨処理装置２００は、受け入れた硬貨の金額を判定し、その金額情報を主制御部５００を介してコントローラ４２０に送信する。また、自動販売機１００に挿入された紙幣は、紙幣処理装置３００で識別され、紙幣処理装置３００は、挿入された紙幣の金額を判定し、主制御部５００を介してコントローラ４２０にその金額情報を送信する。金額情報を受信したコントローラ４２０は、その金額情報と共に書き込みを指示するコマンドをカードリーダライター４３０に送信し、カードリーダライター４３０は、顧客の携帯端末に所定の処理を行わせてその金額情報を書き込ませる。携帯端末は書き込みの終了をコントローラ４２０へ送信し、コントローラ４２０は主制御部５００へ書き込み終了を送信して、主制御部５００はその信号を記憶する。
【００１６】
上記の電子マネーのチャージを行う時に使用する硬貨又は紙幣に特段の区別は無いので、自動販売機１００の内部に設置されている硬貨処理装置２００や紙幣処理装置３００から硬貨または紙幣を取り出して使用してもチャージを行うことが出来る。よって、硬貨処理装置２００の硬貨収納部２１０から硬貨を取り出す時に必要な動作である硬貨収納部２１０を装置本体から切り離すこと、または紙幣処理装置３００の紙幣収納部３１０から紙幣を取り出す時に必要な動作である紙幣収納部３１０を回動する若しくは装置本体から切り離すことを検出し、検出後のチャージの実行との関係を表すことで、不正行為を抑止することができる。
【００１７】
図５は、図１に示した自動販売機におけるチャージ機能停止までのフローチャートである。この図を用いて、チャージ機能停止までの各部の機能を説明する。
【００１８】
ステップ１において、硬貨収納部２１０が装置本体から切り離されると、硬貨処理装置２００本体側に設けたスイッチ２２０が硬貨収納部２１０側の突起２３０の押圧から解放されたことを示す信号を硬貨処理装置２００内部のＣＭコントロールボードAssy.（図示しない）へ送信する。ＣＭコントロールボードAssy.は、スイッチ２２０からの信号を主制御部５００へ送信し、主制御部５００はその信号を記憶する。その後、硬貨収納部２１０を硬貨処理装置２００本体の所定位置に戻すと、再びスイッチ２２０が突起２３０で押され、押されたことを示す信号がＣＭコントロールボードAssy.を介して主制御部５００に送信され、主制御５００はその信号を記憶する。これにより主制御部５００は、硬貨収納部２１０が脱着されたことを検知する。
【００１９】
同様に、ステップ１において、紙幣収納部３１０が装置本体に対して回動、若しくは装置本体から切り離れると、紙幣処理装置３００本体側に設けたスイッチ３２０が紙幣収納部３１０側の突起３３０の押圧から解放されたことを示す信号を紙幣処理装置３００内部のＢＶコントロールボードAssy.（図示しない）へ送信し、ＢＶコントロールボードAssy.は、スイッチ３２０からの信号を主制御部５００へ送信し、主制御部５００はその信号を記憶する。その後、紙幣収納部３１０を紙幣処理装置３００本体の所定位置に戻すと、再びスイッチ３２０が突起３３０で押され、押されたことを示す信号がＢＶコントロールボードAssy.を介して主制御部５００に送信され、主制御５００はその信号を記憶する。これにより主制御部５００は、紙幣収納部３１０が脱着されたことを検知する。
【００２０】
ステップ２では、硬貨収納部２１０若しくは紙幣収納部３１０がそれぞれの装置本体の所定位置に戻った後、チャージ実行ボタン４４０が押下されると、チャージ開始信号が主制御部５００に送信され、記憶される。この時点で、主制御部５００には、硬貨収納部２１０や紙幣収納部３１０の夫々の装置本体に対する脱着と、その後のチャージ開始を示す信号が記憶されたことになる。
【００２１】
ステップ３において、主制御部５００の内部の計数部５１０では、硬貨収納部２１０若しくは紙幣収納部３１０の夫々の装置本体に対する脱着からタイマーをスタートし、所定時間内にチャージ開始の信号を受信したらカウンタに１を加算し、加算後のカウンタ値を記憶する。
【００２２】
ステップ４で、加算後のカウンタ値と所定数値とを比較して、ステップ５では、所定数値を超えた時に主制御部５００から電子マネー端末のコントローラ４２０へ、機能停止コマンドを送信する。コントローラ４２０は、このコマンドによって電子マネー端末のチャージ機能を停止する。
【００２３】
尚、チャージ機能を停止したことを、電子マネー端末の表示部４５０に表示して明確にしても良い。そして、チャージ機能を復帰させるには、チャージ開始ボタン４４０の押下回数を限定するなどの特定の作業による方法を採れば、より不正チャージの抑止力が増す。（ステップ６）
【符号の説明】
【００２４】
１００    自動販売機
２００    硬貨処理装置
２１０    硬貨収納部
２２０    硬貨処理装置側スイッチ
２３０    硬貨収納部側突起
３００    紙幣処理装置
３１０    紙幣収納部
３２０    紙幣処理装置側スイッチ
３３０    紙幣収納部側突起
４００    電子マネー端末
４１０    電子マネー端末のかざし部
４２０    電子マネー端末のコントローラ
４３０    電子マネー端末のカードリーダライター
４４０    電子マネー端末のチャージ開始ボタン
４５０    電子マネー端末の表示部
５００    自動販売機側主制御部
５１０    主制御部の計数部
【図１】
2010198553.tif 000003
【図２】
2010198553.tif 000004
【図３】
2010198553.tif 000005
【図４】
2010198553.tif 000006
【図５】
2010198553.tif 000007